(57)【要約】      （修正有）【課題】用紙の折れを検知した場合であっても、画像の記録を迅速に完了することができる画像記録装置を提供する。【解決手段】インクジェット記録装置は、用紙を搬送する搬送機構と、搬送される用紙に画像を記録する記録ヘッドと、記録ヘッドに対して搬送方向上流側に設けられ、搬送される用紙の輪郭を計測する輪郭計測手段と、用紙に生じる折れ又は曲がりの程度に関する閾値が記憶される閾値記憶手段８１と、搬送機構及び記録ヘッドを制御する制御部８とを備えている。制御部は、輪郭計測手段による計測結果に基づいて、用紙の折れ又は曲がりの発生の有無、及び折れ又は曲がりの程度を判断し、用紙に折れ又は曲がりが発生していると判断した場合、用紙に発生している折れ又は曲がりの程度を閾値と比較し、折れ又は曲がりの程度が閾値以上の場合、用紙に画像を記録させないように、記録ヘッド及び前記搬送機構を制御する。【選択図】図６
2015047756.tif 000002
【特許請求の範囲】
【請求項１】
記録媒体を搬送方向に搬送するための搬送機構と、
前記搬送機構により搬送される記録媒体に画像を記録するための記録ヘッドと、
前記記録ヘッドに対して前記搬送方向上流側に設けられ、前記搬送機構により搬送される記録媒体の輪郭を計測するための輪郭計測手段と、
記録媒体に生じる折れの程度に関する閾値及び記録媒体に生じる曲がりの程度に関する閾値の少なくとも何れかが記憶される閾値記憶手段と、
前記搬送機構及び記録ヘッドを制御するための制御部とを備え、
前記制御部は、
前記輪郭計測手段による計測結果に基づいて、当該記録媒体の折れ又は曲がりの発生の有無、及び当該記録媒体に発生している折れ又は曲がりの程度を判断し、
当該記録媒体に折れ又は曲がりが発生していると判断した場合、当該記録媒体に発生している折れ又は曲がりの程度を前記閾値と比較し、
当該記録媒体に発生している折れ又は曲がりの程度が前記閾値以上の場合、当該記録媒体に画像を記録させないように、前記記録ヘッド及び前記搬送機構を制御し、
当該記録媒体に発生している折れ又は曲がりの程度が前記閾値未満又は当該記録媒体に折れ又は曲がりが発生していないと判断した場合、当該記録媒体に画像を記録させるように、前記記録ヘッド及び前記搬送機構を制御する、画像記録装置。
【請求項２】
前記制御部は、前記折れ又は曲がりの程度が閾値以上の場合、当該記録媒体の搬送を停止させるように、前記搬送機構を制御する、請求項１に記載の画像記録装置。
【請求項３】
前記記録ヘッドは、記録媒体に画像を記録する液体を吐出するための複数の吐出口が設けられた吐出面を有しており、
前記閾値は、記録媒体に生じた前記折れ又は曲がりの部分の大きさが前記吐出面に接する程度に対応している、請求項２に記載の画像記録装置。
【請求項４】
記録媒体に記録される画像に係る画像データを記憶するための画像データ記憶手段を更に備え、
前記制御部は、前記輪郭計測手段の計測結果に基づいて、記録媒体に発生している折れ又は曲がりの発生位置も判断し、前記画像データに係る画像の少なくとも一部が、当該記録媒体に生じた折れ又は曲がりの部分に重複すると判断した場合は、当該折れ又は曲がりの程度が前記閾値未満であっても、当該記録媒体に前記画像データに係る画像を記録させないように、前記記録ヘッド及び前記搬送機構を制御する、請求項１乃至３の何れかに記載の画像記録装置。
【請求項５】
前記記録ヘッドは、記録媒体に画像を記録する液体を吐出するための複数の吐出口が設けられた吐出面を有しており、
前記閾値記憶手段に前記閾値よりも低い閾値である低閾値が記憶され、当該低閾値も記録媒体に生じた折れ又は曲がりの部分の大きさが前記吐出面に接する程度に対応しており、
前記制御部は、前記輪郭計測手段の計測結果に基づいて、記録媒体の搬送方向下流側端部に折れ又は曲がりが生じ、該折れ又は曲がりの程度が前記閾値未満且つ前記低閾値以上の大きさであると判断した場合、当該記録媒体に対して、画像データに基づいた画像の記録とは無関係の吐出である予備吐出を、前記複数の吐出口から行う、請求項１乃至４の何れかに記載の画像記録装置。
【請求項６】
前記記録ヘッドは、記録媒体に画像を記録する液体を吐出するための複数の吐出口が設けられた吐出面を有しており、
記録媒体の搬送路に対して前記記録ヘッドの反対側に設けられ、前記吐出面に対向した液体受け部材と、前記吐出面に沿って移動して該吐出面の拭き取り動作を行うワイプ機構をさらに備え、
前記制御部は、前記搬送機構の搬送動作を停止したときに、記録媒体に生じた前記折れ又は曲がりの部分が前記吐出面に接した場合は、前記吐出面から前記液体受け部材に強制的に液体を排出させるパージ動作及び前記ワイプ機構による吐出面拭き取り動作を実行する、請求項２に記載の画像記録装置。
【請求項７】
前記制御部は、前記輪郭計測手段の計測結果に基づいて、前記折れ又は曲がりの発生位置も判断し、
前記閾値記憶手段には、記録媒体の搬送方向上流側の部位に生じる折れ又は曲がりの程度に対する上流側閾値と記録媒体の搬送方向下流側の部位に生じる折れ又は曲がりの程度に対する下流側閾値が記憶されており、
前記上流側閾値は前記下流側閾値よりも小さく、
前記制御部は、記録媒体に発生している折れ又は曲がりの程度を前記閾値と比較するときに、前記記録媒体の搬送方向上流側の部位に生じる折れ又は曲がりの程度に関しては前記上流側閾値を前記閾値として用いて比較し、前記記録媒体の搬送方向下流側の部位に生じる折れ又は曲がりの程度に関しては前記下流側閾値を前記閾値として用いて比較する、請求項１乃至６のいずれか１項に記載の画像記録装置。
【請求項８】
記録媒体を搬送方向に搬送するための搬送機構と、
前記搬送機構により搬送される記録媒体に画像を記録するための記録ヘッドと、
前記記録ヘッドに対して前記搬送方向上流側に設けられ、前記搬送機構により搬送される記録媒体の輪郭を計測するための輪郭計測手段と、
記録媒体に生じる折れの程度に関する閾値及び記録媒体に生じる曲がりの程度に関する閾値の少なくとも何れかが記憶される閾値記憶手段とを備えた画像記録装置における画像記録方法であって、
前記輪郭計測手段による計測結果に基づいて、当該記録媒体の折れ又は曲がりの発生の有無、及び当該記録媒体に発生している折れ又は曲がりの程度を判断する工程と、
当該記録媒体に折れ又は曲がりが発生していると判断した場合、当該記録媒体に発生している折れ又は曲がりの程度を前記閾値と比較する工程と、
当該記録媒体に発生している折れ又は曲がりの程度が前記閾値以上の場合、当該記録媒体に画像を記録させないように、前記記録ヘッド及び前記搬送機構を制御する工程と、
当該記録媒体に発生している折れ又は曲がりの程度が前記閾値未満又は当該記録媒体に折れ又は曲がりが発生していないと判断した場合、当該記録媒体に画像を記録させるように、前記記録ヘッド及び前記搬送機構を制御する工程とを有する、画像記録方法。
【請求項９】
記録媒体を搬送方向に搬送するための搬送機構と、
前記搬送機構により搬送される記録媒体に画像を記録するための記録ヘッドと、
前記記録ヘッドに対して前記搬送方向上流側に設けられ、前記搬送機構により搬送される記録媒体の輪郭を計測するための輪郭計測手段と、
記録媒体に生じる折れの程度に関する閾値及び記録媒体に生じる曲がりの程度に関する閾値の少なくとも何れかが記憶される閾値記憶手段と、
前記搬送機構及び記録ヘッドを制御するための制御部とを備えた画像記録装置に用いるプログラムであって、
前記制御部に、
前記輪郭計測手段による計測結果に基づいて、当該記録媒体の折れ又は曲がりの発生の有無、及び当該記録媒体に発生している折れ又は曲がりの程度を判断する工程と、
当該記録媒体に折れ又は曲がりが発生していると判断した場合、当該記録媒体に発生している折れ又は曲がりの程度を前記閾値と比較する工程と、
当該記録媒体に発生している折れ又は曲がりの程度が前記閾値以上の場合、当該記録媒体に画像を記録させないように、前記記録ヘッド及び前記搬送機構を制御する工程と、
当該記録媒体に発生している折れ又は曲がりの程度が前記閾値未満又は当該記録媒体に折れ又は曲がりが発生していないと判断した場合、当該記録媒体に画像を記録させるように、前記記録ヘッド及び前記搬送機構を制御する工程とを実行させるプログラム。
【発明の詳細な説明】
【技術分野】
【０００１】
本発明は、記録媒体に画像を記録するための記録ヘッドを備えた画像記録装置、画像記録方法、及び該画像記録装置に用いるプログラムに関する。
【背景技術】
【０００２】
従来から、原稿を読み取る原稿読み取り装置が知られている。特許文献１には、この原稿読み取り装置が原稿搬送時における重送や紙折れといった原稿の搬送異常を検知した場合は、原稿読み取り動作を中断し、重送や紙折れが生じた原稿を元の原稿トレイに戻す内容が開示されている。
【先行技術文献】
【特許文献】
【０００３】
【特許文献１】特開２００４−２３４２７号公報
【発明の概要】
【発明が解決しようとする課題】
【０００４】
紙折れが生じた用紙の搬送を防ぐべく、用紙に画像を記録する記録ヘッドを備えた画像記録装置に、上記の先行技術を適用することが考えられる。この場合、画像記録装置が紙折れによる用紙の搬送異常を検知した場合は、用紙への画像記録を中断して、紙折れが生じた用紙を給紙トレイに戻すことが考えられる。
【０００５】
紙折れが発生すると用紙の搬送経路において紙詰まりが発生したり、紙折れが発生した用紙の部分が記録ヘッドに衝突することによる記録ヘッドの損傷などが予想される。そのため、紙折れが発生した場合に用紙への画像記録を中断して紙折れが生じた用紙を給紙トレイに戻すことは有効である。ここで、本願の発明者は、紙折れによる用紙の搬送異常を検知した場合の全てにおいて、用紙への画像記録動作を中断していると用紙への画像記録を迅速に完了できないという新規な課題を見出した。この課題に対して研究を行った結果、用紙の紙折れを検知した場合であっても、紙折れの程度が所定の条件を満たす場合は、上述の紙詰まりや記録ヘッドの損傷などが発生する可能性が低いため、用紙への画像記録を中断することなく画像記録を完了することができることを新たに見出した。この所定の条件下においては、例え用紙に紙折れが発生したとしても画像記録を中断せず続行することができるので、用紙への画像記録を迅速に完了することが可能となる。
本発明の目的は、折れなどが生じた記録媒体を検知した場合であっても、記録媒体への画像の記録を迅速に完了することができる画像記録装置、画像記録方法、及び該画像記録装置に用いるプログラムを提供することにある。
【課題を解決するための手段】
【０００６】
画像記録装置は、記録媒体を搬送方向に搬送するための搬送機構と、前記搬送機構により搬送される記録媒体に画像を記録するための記録ヘッドと、前記記録ヘッドに対して前記搬送方向上流側に設けられ、前記搬送機構により搬送される記録媒体の輪郭を計測するための輪郭計測手段と、記録媒体に生じる折れの程度に関する閾値及び記録媒体に生じる曲がりの程度に関する閾値の少なくとも何れかが記憶される閾値記憶手段と、前記搬送機構及び記録ヘッドを制御するための制御部とを備え、
前記制御部は、
前記輪郭計測手段による計測結果に基づいて、当該記録媒体の折れ又は曲がりの発生の有無、及び当該記録媒体に発生している折れ又は曲がりの程度を判断し、当該記録媒体に折れ又は曲がりが発生していると判断した場合、当該記録媒体に発生している折れ又は曲がりの程度を前記閾値と比較し、
当該記録媒体に発生している折れ又は曲がりの程度が前記閾値以上の場合、当該記録媒体に画像を記録させないように、前記記録ヘッド及び前記搬送機構を制御し、
当該記録媒体に発生している折れ又は曲がりの程度が前記閾値未満又は当該記録媒体に折れ又は曲がりが発生していないと判断した場合、当該記録媒体に画像を記録させるように、前記記録ヘッド及び前記搬送機構を制御する。
【０００７】
記録媒体を搬送方向に搬送するための搬送機構と、
前記搬送機構により搬送される記録媒体に画像を記録するための記録ヘッドと、
前記記録ヘッドに対して前記搬送方向上流側に設けられ、前記搬送機構により搬送される記録媒体の輪郭を計測するための輪郭計測手段と、
記録媒体に生じる折れの程度に関する閾値及び記録媒体に生じる曲がりの程度に関する閾値の少なくとも何れかが記憶される閾値記憶手段とを備えた画像記録装置における画像記録方法であって、
該画像記録方法は、前記輪郭計測手段による計測結果に基づいて、当該記録媒体の折れ又は曲がりの発生の有無、及び当該記録媒体に発生している折れ又は曲がりの程度を判断する工程と、
当該記録媒体に折れ又は曲がりが発生していると判断した場合、当該記録媒体に発生している折れ又は曲がりの程度を前記閾値と比較する工程と、
当該記録媒体に発生している折れ又は曲がりの程度が前記閾値以上の場合、当該記録媒体に画像を記録させないように、前記記録ヘッド及び前記搬送機構を制御する工程と、
当該記録媒体に発生している折れ又は曲がりの程度が前記閾値未満又は当該記録媒体に折れ又は曲がりが発生していないと判断した場合、当該記録媒体に画像を記録させるように、前記記録ヘッド及び前記搬送機構を制御する工程とを有する。
【０００８】
記録媒体を搬送方向に搬送するための搬送機構と、前記搬送機構により搬送される記録媒体に画像を記録するための記録ヘッドと、前記記録ヘッドに対して前記搬送方向上流側に設けられ、前記搬送機構により搬送される記録媒体の輪郭を計測するための輪郭計測手段と、記録媒体に生じる折れの程度に関する閾値及び記録媒体に生じる曲がりの程度に関する閾値の少なくとも何れかが記憶される閾値記憶手段と、前記搬送機構及び記録ヘッドを制御するための制御部とを備えた画像記録装置に用いるプログラムであって、
該プログラムは前記制御部に、
前記輪郭計測手段による計測結果に基づいて、当該記録媒体の折れ又は曲がりの発生の有無、及び当該記録媒体に発生している折れ又は曲がりの程度を判断する工程と、
当該記録媒体に折れ又は曲がりが発生していると判断した場合、当該記録媒体に発生している折れ又は曲がりの程度を前記閾値と比較する工程と、
当該記録媒体に発生している折れ又は曲がりの程度が前記閾値以上の場合、当該記録媒体に画像を記録させないように、前記記録ヘッド及び前記搬送機構を制御する工程と、
当該記録媒体に発生している折れ又は曲がりの程度が前記閾値未満又は当該記録媒体に折れ又は曲がりが発生していないと判断した場合、当該記録媒体に画像を記録させるように、前記記録ヘッド及び前記搬送機構を制御する工程とを実行させる。
【発明の効果】
【０００９】
制御部は、輪郭計測手段による計測結果に基づいて、記録媒体に発生した折れや曲がりの程度を判断して、この記録媒体に画像を記録するか否かを判断している。これにより、折れや曲がりが生じた全ての記録媒体に画像を形成しない場合に比して、記録媒体への画像の記録を迅速に完了することができる。
【図面の簡単な説明】
【００１０】
【図１】インクジェット記録装置の全体構成を示す図である。
【図２】記録ヘッドを下方から見た斜視図である。
【図３】記録ヘッドとプラテンの上下位置を示す側面図である。
【図４】ワイプ機構の側面図である。
【図５】吐出口内に形成されているインクのメニスカスの拡大図である。
【図６】制御部の周辺構成を示すブロック図である。
【図７】先端部と後端部に折れ又は曲がり部分がある用紙の平面図である。
【図８】(a)、(b)は、用紙の折れ又は曲がり部分の別の態様を示す平面図である。
【図９】用紙の搬送時の制御動作を示すフローチャートである。
【図１０】第１画像記録中止判断動作を示すサブルーチンである。
【図１１】予備吐出判断と第２画像記録中止判断動作を示すサブルーチンである。
【図１２】第３画像記録中止判断動作を示すサブルーチンである。
【発明を実施するための形態】
【００１１】
以下、本発明の一実施形態について、図面を用いて説明する。以下の記載では、上方及び下方は鉛直方向に沿う向きを指す。また、本発明に係る「画像記録装置」としてインクジェット記録装置を例示し、該インクジェット記録装置は液体であるインクを、記録媒体である用紙に吐出して画像を記録するものとする。尚、「画像記録装置」はインクジェット記録装置に代えて、レーザープリンタであってもよい。
【００１２】
図１は、インクジェット記録装置１の全体構成を示す図である。インクジェット記録装置１は直方体状の筐体１０を有し、該筐体１０の天板上部には、用紙Ｐを排出するトレイ１１が設けられている。筐体１０内には、上方から下方に向かって、インクを用紙Ｐに吐出する記録ヘッド４、用紙Ｐを図１における水平方向に搬送した後にトレイ１１に送る搬送ユニット５、用紙Ｐを搬送ユニット５に供給する給紙ユニット６が配置されている。記録ヘッド４の下側には、記録ヘッド４に対向して、搬送される用紙Ｐを図１における水平面内にて支持するプラテン３が設けられている。
筐体１０の内側上部にて、記録ヘッド４に干渉しない位置には、筐体１０内の各機構及び電気回路の動作を司る制御部８が配置されている。筐体１０の内部下側には、記録ヘッド４に供給するインクが収納されたタンク１４が配置されている。該タンク１４と記録ヘッド４とはチューブ(図示せず)によって接続されている。
筐体１０の側面には、外部のパーソナルコンピュータから送信される画像記録ジョブを含む信号が入力される端子１３が設けられている。端子１３から入力された信号は制御部８に入力される。筐体１０の上面には、使用者が情報を入力する操作パネル１２が設けられている。
搬送ユニット５は、図１中の用紙Ｐを左から右、及びトレイ１１に向かう上方に搬送する機構である。以下の記載では、記録ヘッド４の直下の領域において用紙Ｐを搬送する方向を副走査方向又は第１方向(搬送方向)と呼ぶ。用紙Ｐを搬送する方向と直交する方向で用紙Ｐが第１方向に搬送される面内の方向を主走査方向又は第２方向、また、用紙Ｐの第１方向下流側を用紙の先端部、用紙Ｐの第１方向上流側を用紙の後端部とする。図１において、第１方向は左から右に向かう水平方向、第２方向は用紙Ｐの紙面に直交する方向となる。なお、用紙Ｐが搬送ユニット５により搬送される方向を搬送方向と呼ぶ。記録ヘッド４の直下の領域において搬送方向と第１方向は同じ方向である。
【００１３】
前記搬送ユニット５は、記録ヘッド４の両側に配備された第１及び第２搬送ローラ対５１、５２と、該搬送ローラ対５２よりも用紙Ｐの搬送下流側に配置された第３乃至第５搬送ローラ対５３、５４、５５、内部を用紙Ｐが通過する３つのガイド５６、５７、５８を有して構成される。第１搬送ローラ対５１と記録ヘッド４との間には、搬送される用紙Ｐの端部を検出する端部検出センサＳＥ１が設けられている。この端部検出センサＳＥ１により発せられた検出信号は制御部８に伝送される。搬送される用紙Ｐの先端部が端部検出センサＳＥ１によって検出されると、所定時間経過後に記録ヘッド４から用紙Ｐへのインクの吐出が開始される。この所定時間は用紙Ｐの先端部が端部検出センサＳＥ１を通過してから用紙Ｐにおける画像が記録される領域の搬送方向下流側の先端部分が記録ヘッド４の画像の記録が行われる部分と対向するまでの時間に対応している。
第１搬送ローラ対５１と記録ヘッド４との間には、用紙Ｐの輪郭を計測するための画像センサであるイメージセンサＲＫ１が設けられている。用紙Ｐは通常は輪郭が縦横比が一定の矩形であるから、用紙Ｐに折れや曲がり部分があると、用紙Ｐの輪郭は縦横比が一定の矩形でなくなる。従って、イメージセンサＲＫ１を用いて、用紙Ｐの輪郭を計測することによって、用紙Ｐに折れや曲がり部分があるか否かが判る。尚、図１ではイメージセンサＲＫ１は端部検出センサＳＥ１よりも用紙Ｐの搬送方向下流側に位置しているが、搬送方向上流側に存在してもよい。
第１搬送ローラ対５１によって搬送力を付与された用紙Ｐは記録ヘッド４からインクを吐出されながら水平面内を搬送される。即ち、搬送ユニット５が本発明の「搬送機構」を構成する。
【００１４】
記録ヘッド４の下側を通過した用紙Ｐは、搬送方向下流側の第２搬送ローラ対５２によって搬送力を付与されて、該第２搬送ローラ５２とトレイ１１との間に位置する第３乃至第５搬送ローラ対５３、５４、５５、及びガイド５６、５７、５８によってトレイ１１に送られる。
前記給紙ユニット６は、用紙Ｐが収納される給紙トレイ６０と、給紙ローラ６１と、該給紙ローラ６１と搬送ユニット５との間に配備された第６及び第７搬送ローラ対６２、６３と、内部を用紙Ｐが通過する２つのガイド６４、６５を有して構成される。給紙ローラ６１は給紙トレイ６０内から１枚の用紙Ｐを送り出した後に、次の用紙Ｐを所定の時間間隔を空けて取り出し、該ガイド６４、６５及び第６及び第７搬送ローラ対６２、６３によって該用紙Ｐを搬送ユニット５の搬送方向上流側に搬送する。
【００１５】
記録ヘッド４は、主走査方向(第２方向)に延びた直方体状のラインヘッドであって、その下面にはインクを吐出する複数の吐出口が形成された吐出面４０が複数形成されている。
記録ヘッド４により画像が記録された用紙Ｐは第２乃至第５搬送ローラ対５２、５３、５４、５５及びガイド５６、５７、５８によりトレイ１１に排出される。
プラテン３の下方には、水平に配列された複数の液体受け部材７０がプラテン３に対して昇降自在に設けられている。該液体受け部材７０はキャップ状に形成されて、用紙Ｐにインクを吐出して印字する際には液体受け部材７０は該印字を妨げないように、用紙Ｐの搬送路から下方に位置している。液体受け部材７０は用紙Ｐがプラテン３に搬送されないときに、記録ヘッド４から吐出されるインクを受けるものであり、インクをはじくガラス又はステンレス等から構成される。
【００１６】
図２は、記録ヘッド４を下方から見た斜視図である。記録ヘッド４の下面からは、複数のヘッド要素４１が突出して設けられており、該ヘッド要素４１は第２方向に沿って千鳥状に配列されている。前記吐出面４０はヘッド要素４１の下面であり、前記の如く、該吐出面４０にインクを吐出するノズルである複数の吐出口４２が開設されている。各ヘッド要素４１は、インク吐出特性の均一化や製造コストの低減等のために、同一構造に形成されている。尚、記録ヘッド４は、６つのヘッド要素４１を第２方向に沿って千鳥状に配置して形成されているが、ヘッド要素４１の数は６つに限定されない。
尚、ヘッド要素４１は、複数枚の金属板を積層して形成された流路ユニットと、その上面に接合されたアクチュエータユニットとから構成され、該アクチュエータユニットに通電されることにより、流路ユニット内のインクが吐出される。流路ユニットの最下位に位置する金属板の下面が前記の吐出面４０を構成し、アクチュエータユニットが制御部８に接続されている。かかる構成は公知であり、詳細な記載を省く。
【００１７】
図３は、記録ヘッド４とプラテン３の上下位置を示す側面図であり、記録ヘッド４を第１方向上流側から見ている。プラテン３の上面には、用紙Ｐを支持するリブ３２及びヘッド要素４１が通過可能な透孔３３が設けられて、用紙Ｐはリブ３２の先端部に支持されて搬送時の平坦性を維持される。プラテン３上に用紙Ｐが搬送されないときは、記録ヘッド４が下降して、透孔３３を通過したヘッド要素４１が液体受け部材７０に合わさって、記録ヘッド４のインク吐出特性の維持・回復動作であるパージ動作を行う。パージ動作とは複数の吐出口からインクを排出させる動作であり、減圧や加圧によりインク排出や、吐出動作による液体吐出による排出などが該当する。これらは公知の動作なので説明を省略する。
また、画像記録時に搬送される用紙Ｐに対して、予備吐出という動作も行われている。これは、画像データに基づいた画像の印刷とは無関係に、複数の吐出口４２から所定期間毎にインクを用紙Ｐに吐出することにより、気泡や塵芥あるいは溶媒の蒸発で増粘したインクが複数の吐出口４２内に残存することを防ぐ動作である。予備吐出によって用紙Ｐ上に記録されるインクのドットは用紙Ｐ上に分散し、且つ、１つづつのドットは微小であるから、印刷された用紙Ｐ上では殆ど目立たない。
【００１８】
(ワイプ機構)
吐出口４２からはインクが噴霧状に吐出されるから、吐出口４２から噴霧されたインクが吐出面４０に付着することが考えられる。従って、必要に応じて、吐出面４０を払拭するワイプ機構９が設けられている。
図４は、ワイプ機構９の側面図である。該ワイプ機構９は、上面が開口した箱体９１と、該箱体９１から上向きに突出し、弾性材から形成されたワイプ片９０と、プラテン３よりも下方に位置して第２方向に延び箱体９１の移動を案内するガイド棒９２と、記録ヘッド４の側方に位置して上面が開口した廃棄インク容器９３と、箱体９１をガイド棒９２に沿って移動させる駆動機構９４を備えて構成される。画像を記録しないときには、箱体９１は記録ヘッド４を挟んで廃棄インク容器９３とは反対側である第１位置に配置されている。画像記録後であって、吐出面４０の払拭時には、箱体９１はガイド棒９２に沿って廃棄インク容器９３に向かって移動し、下面が廃棄インク容器９３の上面に対向した第２位置に達する。
【００１９】
ワイプ機構９は以下のように吐出面４０を払拭する。画像記録後に、記録ヘッド４が下降してヘッド要素４１が透孔３３を通過し、吐出面４０がプラテン３から下側に突出する。
ガイド棒９２に沿って箱体９１が第１位置から第２位置に向かって移動する。図４に示すように、ワイプ片９０の先端部が吐出面４０に接して撓り、吐出面４０に付着したインクを払拭する。払拭されたインクはワイプ片９０を伝って箱体９１内に収納される。箱体９１が第２位置まで移動すると、駆動機構は箱体９１の移動を停止させ、箱体９１の下面から廃棄インク容器９３に払拭したインクを放出する。このようにして、吐出面４０が払拭される。尚、ワイプ機構９は液体受け部材７０も払拭するが、詳細な記載を省く。
【００２０】
用紙Ｐは前記の如く、矩形であって、その長辺又は短辺に折れが生じ、或いは長辺又は短辺が撓んで曲がりが生じる場合がある。以下の図３及び図５では図示の便宜上、用紙Ｐの折れ状態を図示するが、用紙Ｐの曲がり状態でも、本実施形態の技術的内容は同様に適用される。
プラテン３上に用紙Ｐが搬送される際に、図３に示すように、用紙Ｐに折れ又は曲がり部分ＰＫがあると、前記の如く、記録ヘッド４はライン型ヘッドであり、第２方向に移動することが出来ないから、記録ヘッド４は搬送される用紙Ｐの折れ又は曲がり部分ＰＫを避けることができない。従って、該折れ又は曲がり部分ＰＫが吐出面４０に接して該吐出面４０を傷付けることがある。また、用紙Ｐのエッジに付着した紙粉が吐出口４２に付着して該吐出口４２を目詰まりさせる可能性もある。
また、吐出面４０を傷付けなくても、図５に示すように、吐出口４２内に形成されているインクのメニスカス(界面)に用紙Ｐの折れ又は曲がり部分ＰＫの先端部が接してインクを吸収してしまう可能性があり、これではその後にインクが正しく吐出されず、用紙Ｐに画像が正しく記録されない。そこで、本実施形態に係るインクジェット記録装置では後記の如く、用紙Ｐの折れ又は曲がり部分ＰＫの程度を検知して、用紙Ｐへの画像記録の中止等の制御動作を行っている。
【００２１】
図６は、制御部８の周辺構成を示すブロック図である。制御部８は、１つのＣＰＵで構成されるが、複数のＣＰＵの組み合わせであってもよい。また、制御部８はＣＰＵとＡＳＩＣ(Application Specific Integrated Circuit)とを組み合わせて用いてもよい。
制御部８には、前記の操作パネル１２、端子１３、第１搬送ローラ対５１乃至第７搬送ローラ対６３を回転させるモータ群Ｍの他に、動作プログラムが格納されたＲＯＭ８３、一時的に情報を記録するワークメモリとして働くＲＡＭ８４、前記の記録ヘッド４、イメージセンサＲＫ１、端部検出センサＳＥ１、用紙Ｐに生じる折れ又は曲がり部分ＰＫの程度、具体的には大きさに関する閾値が記憶される閾値記憶手段８１、及び用紙Ｐに記録される画像に係る画像データを記憶するための画像データ記憶手段８２とが接続されている。
【００２２】
ここで折れは用紙Ｐの耳折れに対応し、曲りは用紙Ｐの撓みに対応している。ここで、折れ又は曲がり部分ＰＫの大きさに関する閾値が記憶されるとは、用紙Ｐに生じる折れの大きさに関する閾値、及び用紙Ｐに生じる曲がりの大きさに関する閾値の少なくとも何れかが記憶されることを指す。ここで、折れ又は曲がり部分ＰＫが折れや曲がりの何れに該当するかは、イメージセンサＲＫ１を介して得た用紙Ｐの外形である輪郭形状が矩形を維持しているか、設定されている用紙Ｐのサイズ（Ａ４など）に対して、この用紙Ｐのサイズに対応する一定の縦横比の矩形を維持しているか否かによる。即ち、用紙Ｐが矩形でなければ、折れ又は曲がり部分ＰＫは折れであり、用紙Ｐが矩形であり、設定されている用紙Ｐのサイズに対応する一定の縦横比の矩形を維持していなければ、折れ又は曲がり部分ＰＫは用紙Ｐが撓んだことによる曲りであると判断することができる。
なお、上記は説明のために簡易化した判断を示しているが、実際は、折れ又は曲がり部分ＰＫが曲り部分ＰＫと折れ部分ＰＫの２つ（つまり、用紙Ｐに折れと曲りの両方が発生している）であることを判断することも可能である。その場合は、用紙Ｐが矩形でなく、且つ、設定されている用紙Ｐのサイズ（Ａ４など）に対して、この用紙Ｐのサイズに対応する一定の縦横比の矩形を維持していなければ、折れ又は曲がり部分ＰＫが曲り部分ＰＫと折れ部分ＰＫの２つであると判断することができる。
ここで、閾値については、用紙Ｐが曲げや折れによりヘッドの吐出面４０に接触するか否かに関係する値（例えば、高さ方向の変形量を考慮したもの）が記憶される。実際には実験により適した値が設定される。
端子１３には外部から、例えばベクタ型データが入力される。制御部８は該ベクタ型データに公知のＲＩＰ(Raster Image Processor)処理を行って、用紙Ｐの画像記録領域に対応して画素がマトリックス状に配置されたビットマップ形式のデータとして画像データ記憶手段８２に記憶させる。
【００２３】
図７に示すように、用紙Ｐの搬送方向下流側、即ち先端部又は用紙Ｐの搬送方向上流側、即ち後端部に折れ又は曲がり部分ＰＫがある場合を考える。制御部８はイメージセンサＲＫ１を介して、一点鎖線で示すように輪郭に欠落部ＰＬのある用紙Ｐの画像を得る。この欠落部ＰＬは該折れ又は曲がり部分ＰＫに対応するから、制御部８はこの画像から、用紙Ｐに折れ又は曲がり部分ＰＫがあることが判る。また、用紙Ｐの画像が矩形ではないから、制御部８は該折れ又は曲がり部分ＰＫが折れであることが判る。
制御部８はまたこの画像から、一点鎖線で示す欠落部ＰＬの第１方向の寸法Ｌ１、欠落部ＰＬの第２方向の寸法Ｍ１を求め、これらの値から、折れ又は曲がり部分ＰＫの程度、具体的には折れ又は曲がり部分ＰＫの大きさを求める。制御部８はまた、欠落部ＰＬの位置から折れ又は曲がり部分ＰＫの用紙Ｐ上での位置をも求める。即ち、制御部８とイメージセンサＲＫ１とによって、本発明の「輪郭計測手段」を構成する。制御部８は折れ又は曲がり部分ＰＫの存在、程度(大きさ)及び用紙Ｐ上の位置を求めることによって、画像記録中止判断と予備吐出判断を行う。
次に、折れ又は曲がり部分ＰＫが曲りであることを判断する方法について説明する。制御部８は、画像データや印字指令などにより、給紙される用紙Ｐのサイズに対応する一定の縦横比を含むサイズを決定する。用紙Ｐに対応する一定の縦横比を含むサイズについてはＲＯＭ８３などに記憶しているものを用いる。そして、イメージセンサＲＫ１により得られた用紙Ｐの画像の縦横比を算出し、決定した一定の縦横比と比較し、一致していなければ折れ又は曲がり部分ＰＫが曲りであることを判断する。制御部８は、縦横比の不一致の程度が大きいほど大きい程度の曲りが発生しているものと判断する。
【００２４】
(第１画像記録中止判断動作)
制御部８は画像記録に係る画像データが記憶される画像データ記憶手段８２に接続されているから、画像データに係る画像の少なくとも一部が折れ又は曲がり部分ＰＫに記録されるか、即ち、折れ又は曲がり部分ＰＫが画像記録領域と重複するか否かが判る。用紙Ｐの折れ又は曲がり部分ＰＫに、画像を記録すると、用紙Ｐ全体に不正確な画像が記録されることとなる。従って、画像データに係る画像が、用紙Ｐに生じた折れ又は曲がり部分ＰＫに記録されると判断した場合は、用紙Ｐに画像データに係る画像を記録しない。この場合は、制御部８はモータ群Ｍの回転を止めて用紙Ｐの搬送を停止させ、操作パネル１２にその旨を表示して使用者の注意を喚起する。この用紙Ｐに画像データに係る画像を記録しないとの判断は、折れ又は曲がり部分ＰＫの程度、即ち大きさに拘らず行う。即ち、折れ又は曲がり部分ＰＫの大きさが後記の閾値未満であっても行う。
なお、画像データに係る画像が、用紙Ｐに生じた折れ又は曲がり部分ＰＫに記録されると判断した場合、曲がり部分ＰＫの大きさが後記の閾値未満であれば、制御部８はモータ群Ｍの回転を止めて用紙Ｐの搬送を停止させ、操作パネル１２にその旨を表示して使用者の注意を喚起するのではなく、単に用紙Ｐを排出トレイ１１に排出し、次に搬送される用紙Ｐに記録を中断した画像を記録するようにしてもよい。
【００２５】
(第２画像記録中止判断動作)
閾値記憶手段８１には、用紙Ｐのサイズ、例えばＡ３、Ａ４、ハガキ等に対応した閾値が記憶されており、この閾値は用紙Ｐの折れ又は曲がり部分ＰＫが折れ又は曲がりであるかによって別個の値が記憶されている。例えば、用紙Ｐの折れの場合は、該折れ部分の先端部が吐出面４０に接して、曲がりの場合よりも吐出面４０を傷付け易い場合があるので、用紙Ｐの折れの場合と、用紙Ｐの曲がりの場合とで閾値の値を違えている。
制御部８は折れ又は曲がり部分ＰＫが折れ又は曲がりの何れかかを判断するとともに、閾値記憶手段８１内の折れ又は曲がりに関する閾値とイメージセンサＲＫ１を介して得た画像から求めた折れ又は曲がり部分ＰＫの大きさとを比較する。制御部８はこの比較結果に基づいて、用紙Ｐへの画像記録の是非を判断する。即ち、折れ又は曲がり部分ＰＫの大きさが関係する閾値以上であれば、制御部８は用紙Ｐの搬送を停止して画像記録を中止し、折れ又は曲がり部分ＰＫの大きさが関係する閾値未満であれば画像記録を行う。閾値以上の折れ又は曲がりが生じた用紙Ｐの搬送を停止させることによって、この用紙Ｐにジャムが生じること、及びこの用紙Ｐに生じたジャムの拡大を抑制することができる。ここでジャムとはインクジェット記録装置１から用紙Ｐが正しく排出できないほど、用紙Ｐが損傷されることを指す。
【００２６】
この閾値は、用紙Ｐの折れ又は曲がり部分ＰＫが用紙Ｐの先端部と後端部の何れに位置するかによって異なる値を用いる。本実施形態にあっては、用紙Ｐの後端部に対応した上流側閾値Ｎ１は、用紙Ｐの先端部に対応した下流側閾値Ｎ２よりも小さく設定されている。上流側閾値Ｎ１及び下流側閾値Ｎ２は、折れ又は曲がり部分ＰＫが折れか曲がりかに関して、夫々設定されている。
具体的には、上流側閾値Ｎ１は、用紙Ｐの折れ又は曲がり部分ＰＫが吐出面４０に接する程度の大きさに対応しているが、下流側閾値Ｎ２は、用紙Ｐの折れ又は曲がり部分ＰＫが吐出面４０に接して該吐出面４０を傷付ける大きさに対応している。
【００２７】
(第３画像記録中止判断動作)
用紙Ｐの後端部に折れ又は曲がりが生じた場合は、この用紙Ｐのジャムの発生と拡大のみならず、後に続く用紙Ｐへの画像記録に大きな影響がある。即ち、用紙Ｐの後端部に生じた折れ又は曲がり部分ＰＫが、吐出面４０に接して吐出口４２に形成されているインクのメニスカスを破壊するようなことが起きれば、後に続く用紙Ｐにはインクが正しく吐出されず、画像が正しく記録されない可能性がある。従って、用紙Ｐの後端部に折れ又は曲がりが生じた場合は、用紙Ｐへの画像記録の是非の判断を、用紙Ｐの先端部に折れ又は曲がりが生じた場合よりも、厳しい基準に基づいて行っている。
具体的には、用紙Ｐの後端部に生じた折れ又は曲がり部分ＰＫの大きさが、上流側閾値Ｎ１以上であれば、制御部８は用紙Ｐの搬送を停止する、即ちモータ群Ｍを停止する。用紙Ｐの搬送を停止したにも拘らず、用紙Ｐの後端部の折れ又は曲がり部分ＰＫが吐出面４０に接したと判断される場合は、前記のパージ動作、又は前記のワイプ機構９による吐出面４０の拭き取り動作を行う。パージ動作と吐出面４０の拭き取り動作の両方を行ってもよい。
尚、用紙Ｐの搬送を停止したにも拘らず、用紙Ｐの後端部の折れ又は曲がり部分ＰＫが吐出面４０に接したとの判断は、端部検出センサＳＥ１とイメージセンサＲＫ１との出力に基づいて制御部８が判断する。即ち、制御部８は、端部検出センサＳＥ１が用紙Ｐの先端部を検出してから、モータ群Ｍを停止するまでの時間及び用紙Ｐの搬送速度が判るから、用紙Ｐが端部検出センサＳＥ１を通過してからどこまで搬送されたのかが判る。イメージセンサＲＫ１を介して、制御部８は、折れ又は曲がり部分ＰＫの位置が判るから、用紙Ｐの後端部の折れ又は曲がり部分ＰＫが吐出面４０に接したか否かが判る。
【００２８】
(予備吐出判断)
また、閾値記憶手段８１には、用紙Ｐの先端部に対応して、前記の下流側閾値Ｎ２よりも小さな低閾値Ｎ３が記憶されている。この低閾値Ｎ３は、用紙Ｐの折れ又は曲がり部分ＰＫが吐出面４０に接しても吐出面４０を傷付けない程度の大きさに対応しており、前記の上流側閾値Ｎ１と同等の値である。
用紙Ｐの先端部に折れ又は曲がりが生じ、該折れ又は曲がり部分ＰＫが下流側閾値Ｎ２未満であって低閾値Ｎ３以上の大きさ、即ち吐出面４０を傷付けない程度の大きさであれば、該折れ又は曲がり部分ＰＫが吐出面４０に接しても、その後の画像記録にて吐出口４２から液体を吐出するから、吐出口４２の損傷には繋がらない。但し、該折れ又は曲がり部分ＰＫが吐出面４０に接することにより、吐出口４２に形成されているインクのメニスカスが用紙Ｐとの接触により破壊される等の虞がある。従って、複数の吐出口４２から予備吐出を行って、吐出口４２からのインク吐出状態を正常に保っている。図７では、用紙Ｐ上にて折れ又は曲がり部分ＰＫ以外の領域であって、折れ又は曲がり部分ＰＫと第１方向に重なる、斜線領域Ａ１に予備吐出を行う。即ち、用紙Ｐと接触した可能性のある複数の吐出口４２から予備吐出を行う。また、折れ又は曲がり部分ＰＫに予備吐出を行うと、用紙Ｐに付着したインクが用紙Ｐの搬送路に付着する可能性があるから、用紙Ｐ上にて折れ又は曲がり部分ＰＫ以外の斜線領域Ａ１に予備吐出を行う。
【００２９】
図８(a)、(b)は、用紙Ｐの折れ又は曲がり部分ＰＫの別の態様を示す平面図である。図８(a)に示すように、用紙Ｐの先端部の折れ又は曲がり部分ＰＫが用紙Ｐの第１方向下流側の短辺全体に亘るときは、用紙Ｐが矩形を維持しており、用紙Ｐのサイズに対応する一定の縦横比の矩形を維持していないので、該折れ又は曲がり部分ＰＫは用紙Ｐの撓みによる曲りであって、記録ヘッド４の第２方向長さの広範囲に亘って吐出面４０と接触していると考えられる。従って、欠落部ＰＬの第１方向の長さＬ１が大きければ、折れ又は曲がり部分ＰＫの大きさである撓み量も下流側閾値Ｎ２以上と考えられるから、制御部８は用紙Ｐの搬送を停止して画像記録を中止する。当然に予備吐出は行わない。
図８(b)に示すように、用紙Ｐの第１方向下流側の短辺中央部が破れて、折れ又は曲がり部分ＰＫが生じた場合は、該折れ又は曲がり部分ＰＫが下流側閾値Ｎ２未満であって低閾値Ｎ３以上の大きさであれば、複数の吐出口４２から予備吐出を行って、吐出口４２からのインク吐出状態を正常に保つ。この場合の予備吐出領域は、用紙Ｐ上にて折れ又は曲がり部分ＰＫ以外の領域であって、折れ又は曲がり部分ＰＫと第１方向に重なる、斜線領域Ａ２である。
【００３０】
(制御動作)
本実施形態に係るインクジェット記録装置１は、用紙Ｐの搬送時に、図９のフローチャートに示す制御動作を行う。
先ず、制御部８は用紙ＰがイメージセンサＲＫ１を通過すると、イメージセンサＲＫ１を介して得た用紙Ｐの輪郭画像から、用紙Ｐに折れ又は曲がり部分ＰＫが生じているか否かを判断する(ステップＳ１)。用紙Ｐに折れ又は曲がり部分ＰＫがなければ、用紙Ｐに画像を記録する(ステップＳ２)。
用紙Ｐに折れ又は曲がり部分ＰＫがあれば、制御部８は第１画像記録中止判断動作を行う(ステップＳ３)。図１０は、第１画像記録中止判断動作を示すサブルーチンである。制御部８は画像データに係る画像が、用紙Ｐに生じた折れ又は曲がり部分ＰＫに記録されるか否かを判断し(ステップＳ１０)、折れ又は曲がり部分ＰＫに画像が記録されると判断した場合は、用紙Ｐの搬送を停止し、用紙Ｐへの画像記録を中止する(ステップＳ１１)。制御部８は操作パネル１２にその旨を表示して使用者の注意を喚起する。
制御部８は画像データに係る画像が、用紙Ｐに生じた折れ又は曲がり部分ＰＫに記録されないと判断すれば、ステップＳ４に戻る。
ステップＳ３の第１画像記録中止判断動作において、用紙Ｐの曲がりについては、用紙Ｐの第１方向又は第２方向全体にわたるものであり、用紙Ｐのどの部分に曲がりが生じているか特定することが困難である場合もある。従って、用紙Ｐの曲りが発生したと判断した場合は、全て画像の記録を中断してもよい。
【００３１】
制御部８は、折れ又は曲がり部分ＰＫが折れ又は曲がりの何れに関するかを判断するとともに、折れ又は曲がり部分ＰＫが用紙Ｐの先端部にあるか否かを判断する(ステップＳ４)。折れ又は曲がり部分ＰＫが用紙Ｐの先端部にあると判断すれば、制御部８は予備吐出判断動作と第２画像記録中止判断動作を行う(ステップＳ５)。図１１は、予備吐出判断動作と第２画像記録中止判断動作を示すサブルーチンである。制御部８は折れ又は曲がり部分ＰＫの大きさが下流側閾値Ｎ２以上か否かを判断する(ステップＳ２０)。折れ又は曲がり部分ＰＫの大きさが下流側閾値Ｎ２以上であれば、該折れ又は曲がり部分ＰＫが吐出面４０に接して該吐出面４０を傷付ける可能性があるから、制御部８は用紙Ｐの搬送を中止し(ステップＳ２１)、画像記録を中止する。制御部８は操作パネル１２にその旨を表示して使用者の注意を喚起する。
制御部８は折れ又は曲がり部分ＰＫの大きさが下流側閾値Ｎ２未満であると判断すると、次に該折れ又は曲がり部分ＰＫが低閾値Ｎ３以上の大きさであるか否かを判断する(ステップＳ２２)。折れ又は曲がり部分ＰＫが低閾値Ｎ３未満の大きさであれば、折れ又は曲がり部分ＰＫが吐出面４０に接する可能性は少ないから、該サブルーチンを出て、ステップＳ６に移行する。折れ又は曲がり部分ＰＫが低閾値Ｎ３以上の大きさであれば、前記の如く、複数の吐出口４２から予備吐出を行って(ステップＳ２３)、吐出口４２からのインク吐出状態を正常に保つ。
【００３２】
制御部８は次に、折れ又は曲がり部分ＰＫが用紙Ｐの後端部にあるか否かを判断する(ステップＳ６)。折れ又は曲がり部分ＰＫが用紙Ｐの後端部にあると判断すれば、制御部８は第３画像記録中止判断動作を行う(ステップＳ７)。図１２は、第３画像記録中止判断動作を示すサブルーチンである。制御部８は折れ又は曲がり部分ＰＫの大きさが上流側閾値Ｎ１以上か否かを判断する(ステップＳ３０)。折れ又は曲がり部分ＰＫの大きさが上流側閾値Ｎ１未満であれば、該折れ又は曲がり部分ＰＫが吐出面４０に接する可能性は少ないから、複数の吐出口４２からインクを吐出して、用紙Ｐに画像を記録する(ステップＳ３１)。
折れ又は曲がり部分ＰＫの大きさが上流側閾値Ｎ１以上であれば、該折れ又は曲がり部分ＰＫが吐出面４０に接して、後の用紙Ｐへの画像記録にも悪影響を及ぼす可能性があるから、制御部８は折れ又は曲がりが生じた用紙Ｐ及び後の用紙Ｐの搬送を停止し(ステップＳ３２)、画像記録を中止する。次に、制御部８は折れ又は曲がり部分ＰＫが吐出面４０に接触したか否かを判断する(ステップＳ３３)。折れ又は曲がり部分ＰＫが吐出面４０に接触しなければ、用紙Ｐの搬送停止状態を維持する。折れ又は曲がり部分ＰＫが吐出面４０に接触していれば、吐出口４２に形成されているインクのメニスカスが破壊されている等の虞がある。従って、制御部８は記録ヘッド４を下降させてパージ動作、又はワイプ機構９を作動させて吐出面４０の拭き取り動作を行って(ステップＳ３４)、後の用紙Ｐの画像記録に備える。
制御部８は画像記録動作が完了、具体的には全ての用紙Ｐに画像が記録完了されるまで、上記の制御動作を続ける(ステップＳ８)。
【００３３】
本実施形態に係るインクジェット記録装置１は、以下の利点を有する。
１．制御部８は、イメージセンサＲＫ１を介して得た計測結果に基づいて、用紙Ｐの発生した折れ又は曲がりの程度を判断して、当該用紙Ｐに画像を記録するか否かを判断している。これにより、折れ又は曲がりが生じた全ての用紙Ｐに画像を形成しない場合に比して、用紙Ｐへの画像記録を迅速に完了することができる
２．制御部８は、用紙Ｐの折れ又は曲がりの程度が閾値以上の場合は、当該用紙Ｐの搬送を停止させるように、搬送機構を制御する。即ち、折れ又は曲がりが生じた用紙Ｐの搬送を停止させることによって、この用紙Ｐのジャム及びこの用紙Ｐに生じたジャムの拡大を抑制することができる。
【００３４】
上記実施形態では、制御部８とイメージセンサＲＫ１とによって、本発明の「輪郭計測手段」を構成するとした。しかし、これに代えて、イメージセンサＲＫ１にて、用紙Ｐの欠落部ＰＬの寸法と位置を決定してもよい。即ち、イメージセンサＲＫ１のみが、本発明の「輪郭計測手段」を構成してもよい。
なお、閾値について、曲げの閾値と折れの閾値は異なるものであり、それぞれの閾値で判断がなされることは上述したとおりであるが、共通の閾値を用いても構わない。
【産業上の利用可能性】
【００３５】
本発明は、用紙Ｐに画像を記録するための記録ヘッドを備えた画像記録装置、画像記録方法、及び該画像記録装置に用いるプログラムに用いると有用である。
【符号の説明】
【００３６】
１    インクジェット記録装置
３    プラテン
４    記録ヘッド
８    制御部
９    ワイプ機構
４０  吐出面
４２  吐出口
８３  閾値記憶手段
【図１】
2015047756.tif 000003
【図２】
2015047756.tif 000004
【図３】
2015047756.tif 000005
【図４】
2015047756.tif 000006
【図５】
2015047756.tif 000007
【図６】
2015047756.tif 000008
【図７】
2015047756.tif 000009
【図８】
2015047756.tif 000010
【図９】
2015047756.tif 000011
【図１０】
2015047756.tif 000012
【図１１】
2015047756.tif 000013
【図１２】
2015047756.tif 000014